(57)【要約】【課題】パケット交換呼又は回線交換呼のうち転送データ量に応じて通信料金が低廉となる方の回線を自動選択する。【解決手段】コマンドファイルに記述された転送データのファイルサイズと、パケット交換呼及び回線交換呼の通信料金算定の基礎となるデータテーブルとを参照して通信料金が低廉となる方の回線を自動選択し接続する。【選択図】　　　図１
2004040463.tif 000002
【特許請求の範囲】
【請求項１】
移動通信端末と基地局とを含んで構成され、当該移動通信端末からそれによる通信に適合する仕様を持つ所望の相手側通信機器にデータ転送するデータ転送システムであって、
前記移動通信端末は、転送の対象とするファイルのサイズを表すファイルサイズデータを含んで構成されたファイルであるコマンドファイルを保有するための第１のコマンドファイル保有部と、当該コマンドファイルの内容を認識するための第１のコマンドファイル認識機能部と、回線交換呼及びパケット交換呼に関する所要の料金を算出するための基礎となるデータを収めた通信料テーブルデータを保有するための第１の通信料テーブルデータ保有部と、を備えて構成され、
前記基地局は、転送の対象とするファイルのサイズを表すファイルサイズデータを含んで構成されたファイルであるコマンドファイルを保有するための第２のコマンドファイル保有部と、当該コマンドファイルの内容を認識するための第２のコマンドファイル認識機能部と、回線交換呼及びパケット交換呼に関する所要の料金を算出するための基礎となるデータを収めた通信料テーブルデータを保有するための第２の通信料テーブルデータ保有部と、を備えて構成され、
前記移動通信端末及び基地局は、自己から該当する通信相手にデータ転送を行うに際し、当該データ転送に係る前記第１又は第２のコマンドファイルを自己の前記第１又は第２のコマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものであることを特徴とするデータ転送システム。
【請求項２】
移動通信端末と基地局とを含んで構成され、当該移動通信端末からそれによる通信に適合する仕様を持つ所望の相手側通信機器にデータ転送するデータ転送システムであって、
前記移動通信端末は、転送の対象とするファイルのサイズを表すファイルサイズデータを含んで構成されたファイルであるコマンドファイルを保有するための第１のコマンドファイル保有部と、当該コマンドファイルの内容を認識するための第１のコマンドファイル認識機能部と、回線交換呼及びパケット交換呼に関する所要の料金を算出するための基礎となるデータを収めた通信料テーブルデータを保有するための第１の通信料テーブルデータ保有部と、転送の対象とするファイルのサイズを表すファイルサイズデータを含んで構成されたファイルである第１類型のコマンドファイルを作成して前記基地局に供給する第１のコマンドファイル生成送出部とを備え、
前記基地局は、転送の対象とするファイルのサイズを表すファイルサイズデータを含んで構成されたファイルであるコマンドファイルを保有するための第２のコマンドファイル保有部と、当該コマンドファイルの内容を認識するための第２のコマンドファイル認識機能部と、回線交換呼及びパケット交換呼に関する所要の料金を算出するための基礎となるデータを収めた通信料テーブルデータを保有するための第２の通信料テーブルデータ保有部と、基地局から当該移動通信端末に対するコールバックの要求とそのコールバックに適用すべき呼の種別を表すデータを含んで構成されたファイルである第２類型のコマンドファイル及び／又は転送の対象とするファイルのサイズを表すファイルサイズデータを含んで構成されたファイルである第３類型のコマンドファイルを作成し、前記移動通信端末に供給し得るように構成された第２のコマンドファイル生成送出部とを備え、
前記移動通信端末及び基地局は、自己から該当する通信相手にデータ転送を行うに際し、当該データ転送に係る前記第１又は第２のコマンドファイルを自己の前記第１又は第２のコマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものであることを特徴とするデータ転送システム。
【請求項３】
前記基地局は、ファイル転送時に転送の対象とされるデータを保持するためのファイルサーバを更に備えたものであることを特徴とする請求項１又は２に記載のデータ転送システム。
【請求項４】
移動通信端末と基地局とを含んで構成され、当該移動通信端末からそれによる通信に適合する仕様を持つ所望の相手側通信機器にデータ転送するデータ転送システムに適合する移動通信端末であって、
系全体を統括的に制御するためのシステム制御部と、転送の対象とするファイルのサイズを表すファイルサイズデータを含んで構成されたファイルであるコマンドファイルを保有するためのコマンドファイル保有部と、当該コマンドファイルの内容を認識するためのコマンドファイル認識機能部と、回線交換呼及びパケット交換呼に関する所要の料金を算出するための基礎となるデータを収めた通信料テーブルデータを保有するための通信料テーブルデータ保有部と、ベアラの終端及びデータフォーマットの変換等を行うパケット交換呼制御部、及び回線交換呼制御部と、を備えて構成され、
前記システム制御部は、自己の装置側から該当する通信相手にデータ転送を行うに際し、当該データ転送に係る前記コマンドファイルの内容を自己の前記コマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものであることを特徴とする移動通信端末。
【請求項５】
移動通信端末と基地局とを含んで構成され、当該移動通信端末からそれによる通信に適合する仕様を持つ所望の相手側通信機器にデータ転送するデータ転送システムに適合する移動通信端末であって、
系全体を統括的に制御するためのシステム制御部と、転送の対象とするファイルのサイズを表すファイルサイズデータを含んで構成されたファイルであるコマンドファイルを保有するためのコマンドファイル保有部と、当該コマンドファイルの内容を認識するためのコマンドファイル認識機能部と、回線交換呼及びパケット交換呼に関する所要の料金を算出するための基礎となるデータを収めた通信料テーブルデータを保有するための通信料テーブルデータ保有部と、転送の対象とするファイルのサイズを表すファイルサイズデータを含んで構成されたファイルである第１類型のコマンドファイルを作成して前記基地局に供給するコマンドファイル生成送出部と、ベアラの終端及びデータフォーマットの変換等を行うパケット交換呼制御部、及び回線交換呼制御部と、を備えて構成され、前記パケット交換呼制御部及び回線交換呼制御部はハードウエアでの実装が望ましいものであり、
前記システム制御部は、自己の装置側から該当する通信相手にデータ転送を行うに際し、当該データ転送に係る前記コマンドファイルの内容を自己の前記コマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものであることを特徴とする移動通信端末。
【請求項６】
移動通信端末と基地局とを含んで構成され、当該移動通信端末からそれによる通信に適合する仕様を持つ所望の相手側通信機器にデータ転送するデータ転送システムに適合する基地局であって、
転送の対象とするファイルのサイズを表すファイルサイズデータを含んで構成されたファイルであるコマンドファイルを保有するためのコマンドファイル保有部と、当該コマンドファイルの内容を認識するためのコマンドファイル認識機能部と、回線交換呼及びパケット交換呼に関する所要の料金を算出するための基礎となるデータを収めた通信料テーブルデータを保有するための通信料テーブルデータ保有部と、を備えて構成され、
自己から該当する通信相手にデータ転送を行うに際し、当該データ転送に係る前記コマンドファイルを自己の前記コマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものであることを特徴とする基地局。
【請求項７】
移動通信端末と基地局とを含んで構成され、当該移動通信端末からそれによる通信に適合する仕様を持つ所望の相手側通信機器にデータ転送するデータ転送システムに適合する基地局であって、
転送の対象とするファイルのサイズを表すファイルサイズデータを含んで構成されたファイルであるコマンドファイルを保有するためのコマンドファイル保有部と、当該コマンドファイルの内容を認識するためのコマンドファイル認識機能部と、回線交換呼及びパケット交換呼に関する所要の料金を算出するための基礎となるデータを収めた通信料テーブルデータを保有するための通信料テーブルデータ保有部と、基地局から当該移動通信端末に対するコールバックの要求とそのコールバックに適用すべき呼の種別を表すデータを含んで構成されたファイルである第２類型のコマンドファイル及び／又は転送の対象とするファイルのサイズを表すファイルサイズデータを含んで構成されたファイルである第３類型のコマンドファイルを作成し、前記移動通信端末に供給し得るように構成された第２のコマンドファイル生成送出部とを備え、
自己から該当する通信相手にデータ転送を行うに際し、当該データ転送に係る前記コマンドファイルを自己の前記コマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものであることを特徴とする基地局。
【請求項８】
ファイル転送時に転送の対象とされるデータを保持するためのファイルサーバを更に備えたものであることを特徴とする請求項７又は８に記載の基地局。
【請求項９】
前記コマンドファイル生成送出部は、前記第１類型のコマンドファイルとして、送受信を示すコマンド、送受信を行うファイル名、ファイルサイズ、移動通信端末側のアドレス、ネットワーク側のアドレス、ファイルサーバ側のアドレスを各表すデータを含んでなるファイルを生成するように構成されたものであることを特徴とする請求項５に記載の移動通信端末。
【請求項１０】
前記コマンドファイル生成送出部は、前記第２類型のコマンドファイルとして、コールバック用呼種別、転送用パスワード、対応コマンドファイル名、基地局から移動通信端末に転送するファイルサイズを各表すデータを含んでなるファイルを生成するように構成されたものであることを特徴とする請求項７に記載の基地局。
【請求項１１】
前記コマンドファイル生成送出部は、前記第１類型のコマンドファイルとして、テキストファイルをテキストエディタによって直接編集することにより生成するように構成されたものであることを特徴とする請求項５又は９に記載の移動通信端末。
【請求項１２】
前記コマンドファイル生成送出部は、前記第２類型のコマンドファイルとして、テキストファイルをテキストエディタによって直接編集することにより生成するように構成されたものであることを特徴とする請求項７又は１０に記載の基地局。
【請求項１３】
移動通信端末と基地局とを含んで構成され、当該移動通信端末からそれによる通信に適合する仕様を持つ所望の相手側通信機器にデータ転送するデータ転送システムにおけるデータ転送方法であって、
前記移動通信端末に、転送の対象とするファイルのサイズを表すファイルサイズデータを含んで構成されたファイルであるコマンドファイルを保有するための第１のコマンドファイル保有部と、当該コマンドファイルの内容を認識するための第１のコマンドファイル認識機能部と、回線交換呼及びパケット交換呼に関する所要の料金を算出するための基礎となるデータを収めた通信料テーブルデータを保有するための第１の通信料テーブルデータ保有部と、を備え、
前記基地局に、転送の対象とするファイルのサイズを表すファイルサイズデータを含んで構成されたファイルであるコマンドファイルを保有するための第２のコマンドファイル保有部と、当該コマンドファイルの内容を認識するための第２のコマンドファイル認識機能部と、回線交換呼及びパケット交換呼に関する所要の料金を算出するための基礎となるデータを収めた通信料テーブルデータを保有するための第２の通信料テーブルデータ保有部と、を備え、
前記移動通信端末及び基地局では、自己から該当する通信相手にデータ転送を行うに際し、当該データ転送に係る前記第１又は第２のコマンドファイルを自己の前記第１又は第２のコマンドファイル認識機能部で認識することによって転送の対象とするファイルのサイズを表すファイルサイズデータと当該通信料テーブルデータとに基づいて、相対的に通信料を抑えられる呼種別の自動選択を行うようにすることを特徴とするデータ転送方法。
【請求項１４】
移動通信端末と基地局とを含んで構成され、当該移動通信端末からそれによる通信に適合する仕様を持つ所望の相手側通信機器にデータ転送するデータ転送システムにおけるデータ転送方法であって、
前記移動通信端末に、転送の対象とするファイルのサイズを表すファイルサイズデータを含んで構成されたファイルであるコマンドファイルを保有するための第１のコマンドファイル保有部と、当該コマンドファイルの内容を認識するための第１のコマンドファイル認識機能部と、回線交換呼及びパケット交換呼に関する所要の料金を算出するための基礎となるデータを収めた通信料テーブルデータを保有するための第１の通信料テーブルデータ保有部と、転送の対象とするファイルのサイズを表すファイルサイズデータを含んで構成されたファイルである第１類型のコマンドファイルを作成して前記基地局に供給する第１のコマンドファイル生成送出部とを備え、
前記基地局に、転送の対象とするファイルのサイズを表すファイルサイズデータを含んで構成されたファイルであるコマンドファイルを保有するための第２のコマンドファイル保有部と、当該コマンドファイルの内容を認識するための第２のコマンドファイル認識機能部と、回線交換呼及びパケット交換呼に関する所要の料金を算出するための基礎となるデータを収めた通信料テーブルデータを保有するための第２の通信料テーブルデータ保有部と、基地局から当該移動通信端末に対するコールバックの要求とそのコールバックに適用すべき呼の種別を表すデータを含んで構成されたファイルである第２類型のコマンドファイル及び／又は転送の対象とするファイルのサイズを表すファイルサイズデータを含んで構成されたファイルである第３類型のコマンドファイルを作成し、前記移動通信端末に供給し得るように構成された第２のコマンドファイル生成送出部とを備え、
前記移動通信端末及び基地局では、自己から該当する通信相手にデータ転送を行うに際し、当該データ転送に係る前記第１又は第２のコマンドファイルを自己の前記第１又は第２のコマンドファイル認識機能部で認識することによって転送の対象とするファイルのサイズを表すファイルサイズデータと当該通信料テーブルデータとに基づいて、相対的に通信料を抑えられる呼種別の自動選択を行うようにすることを特徴とするデータ転送方法。
【請求項１５】
前記基地局にファイルサーバを備え、ファイル転送を行うに際して、該ファイルサーバに転送の対象とされるデータを保持することを特徴とする請求項１１又は１２に記載のデータ転送方法。
【請求項１６】
前記移動通信端末及び基地局では、更に、マルチリンク接続を可能にし、当該データ転送に、パケット交換呼を適用する場合には使用可能な最大回線数でマルチリンク接続を行ない、回線交換呼を適用する場合には使用可能な最大回線数である第１の回線数が　データ量に応じて最適な回線数として算出して第２の回線数以上であるときには第２の回線を利用して、第１の回線数が　第２の回線数を下回るときには第１の回線数を利用してのマルチリンク接続を行うこと特徴とする請求項１３又は１４に記載のデータ転送方法。
【請求項１７】
前記移動通信端末及び基地局では、更に、パケット交換呼による通信と回線交換呼による通信とを同時に実行することを許容すること特徴とする請求項１３又は１４に記載のデータ転送方法。
【発明の詳細な説明】
【０００１】
【発明の属する技術分野】
本発明は、移動通信端末と基地局とを含んで構成され、当該移動通信端末からそれによる通信に適合する仕様を持つ所望の相手側通信機器にデータ転送するデータ転送システム及びこのシステムを構成する移動通信端末、基地局並びにデータ転送方法の改良に関するものである。
【０００２】
【従来の技術】
携帯電話等の移動通信端末を利用してインターネット接続を行うユーザがここ数年で目覚しく増加している。インターネット（Ｉｎｔｅｒｎｅｔ　Ｓｅｒｖｉｃｅ　Ｐｒｏｖｉｄｅｒ）によって電子メールの他にも、ゲーム、ショッピング、証券取引等多くのサービスが提供される。特に利用者が増加し始めているのが写真や動画等に代表されるマルチメディアデータのメールによるやりとりやｗｅｂ　ｐａｇｅ上での公開である。
現在の携帯電話でのデータ通信はパケット通信を使用するものが多い。回線交換呼を利用する通信と比べ、情報量の少ない文字のみのメールであればパケット通信によるメリットは大きい。しかし、動画のようにファイルサイズの大きなものを送受信する場合、パケット通信を使用した方が通信料が高くなる場合が多々あり、問題となってきている。また、ファイルサイズの肥大化と共にファイルの受信に要する時間も増大しており、受信中に可能なユーザ操作の制限とあわせてヒューマン・インタフェース面等で課題が生じている。
【０００３】
このような状況にあって、通信回線の利用効率を向上させるための、或いは、通信料金を低廉にするための提案も種々なされている。特開２０００−１７４７７０号公報には、マルチリンク方法により複数の回線を用いて無線データ通信を行なうに際して、回線の状況に拠らず通信速度を維持するために、回線の状況を監視する手段によって得た監視情報に基づいてデータパスを切り替える技術が提案されている
【０００４】
また、特開２０００−２５３１８０号公報には、ネットワーク上からマルチメディアデータやテキストベースの情報等のコンテンツを効率よく取得するために、伝送するコンテンツの種類に応じて回線を自動選択する技術が提案されている。
【０００５】
更に、特開２０００−３０７６６０号公報には、パケット交換の通信回線を用いるか又は回線交換の通信回線を用いるかを切り替えることにより、通信回線の利用効率を向上させる無線データ通信システムが提案されている。同公報には、回線交換網による通信が継続困難になった場合や、回線交換網による通信のデータ量が低減した場合には、回線交換網からパケット交換網に切り替えて通信を継続することが開示されている。
【０００６】
また、特開２００１−２８２６７７号公報にも、テキスト以外に音声データ、画像データ等々複数のデータを含むマルチメディアメールを移動通信端末に転送する場合、資源を効率的に用いることができるデータ転送方法が提案されている。同公報には、マルチメディアメールにコントロールデータを含ませ、このコントロールデータに基づいてメールサーバにてメールの宛先である移動通信端末に転送支援データを送信することにより、該移動通信端末側では、この転送支援データに基づいて転送要求を行いデータの無駄な伝送を防止でき、移動通信網のトラフィックを増加させず、移動通信端末自体のメモリ資源も有効活用できるとされている。
【０００７】
特開２００１−３２０４２４号公報には、ネットワークを使用してデータの送受信を行うとき送受信の対象となるデータの種類に応じて通信網を適宜選択可能にした無線端末を提供すべく、メインデータ取得手段が取得したメインデータに併記された付随データ（音声データや画像データ等）に関する情報に依拠して、この付随データの通信に適する通信路を選択しながら付随データの通信を行うようにして低廉な通信料金でデータの伝送を行うことができるようにしている。
【０００８】
【発明が解決しようとする課題】
しかしながら、上述した何れの既提案の技術においても、移動通信端末と基地局とを含んで構成され、当該移動通信端末からそれによる通信に適合する仕様を持つ所望の相手側通信機器にデータ転送するデータ転送システム全体を見通して、種々の状況において、通信料を抑えられる呼種別の自動選択を行うための具体的な技術の提案は未だ十分になされているとは言えない。
【０００９】
本発明は上述のような課題を解決しようとするものであり、移動通信端末と基地局とを含んで構成され、当該移動通信端末からそれによる通信に適合する仕様を持つ所望の相手側通信機器にデータ転送するデータ転送システム全体を見通して、種々の状況において、通信料を抑えられる呼種別の自動選択を行うためのシステム及びこのシステムを構成する移動通信端末、基地局並びにデータ転送方法を提供することを目的とする。
【００１０】
【課題を解決するための手段】
上述の課題を解決するため、本発明は、次のような特徴を備えている。
【００１１】
（１）移動通信端末と基地局とを含んで構成され、当該移動通信端末からそれによる通信に適合する仕様を持つ所望の相手側通信機器にデータ転送するデータ転送システムであって、
前記移動通信端末は、転送の対象とするファイルのサイズを表すファイルサイズデータを含んで構成されたファイルであるコマンドファイルを保有するための第１のコマンドファイル保有部と、当該コマンドファイルの内容を認識するための第１のコマンドファイル認識機能部と、回線交換呼及びパケット交換呼に関する所要の料金を算出するための基礎となるデータを収めた通信料テーブルデータを保有するための第１の通信料テーブルデータ保有部と、を備えて構成され、
前記基地局は、転送の対象とするファイルのサイズを表すファイルサイズデータを含んで構成されたファイルであるコマンドファイルを保有するための第２のコマンドファイル保有部と、当該コマンドファイルの内容を認識するための第２のコマンドファイル認識機能部と、回線交換呼及びパケット交換呼に関する所要の料金を算出するための基礎となるデータを収めた通信料テーブルデータを保有するための第２の通信料テーブルデータ保有部と、を備えて構成され、
前記移動通信端末及び基地局は、自己から該当する通信相手にデータ転送を行うに際し、当該データ転送に係る前記第１又は第２のコマンドファイルを自己の前記第１又は第２のコマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されるデータ転送システム。
【００１２】
（２）移動通信端末と基地局とを含んで構成され、当該移動通信端末からそれによる通信に適合する仕様を持つ所望の相手側通信機器にデータ転送するデータ転送システムであって、
前記移動通信端末は、転送の対象とするファイルのサイズを表すファイルサイズデータを含んで構成されたファイルであるコマンドファイルを保有するための第１のコマンドファイル保有部と、当該コマンドファイルの内容を認識するための第１のコマンドファイル認識機能部と、回線交換呼及びパケット交換呼に関する所要の料金を算出するための基礎となるデータを収めた通信料テーブルデータを保有するための第１の通信料テーブルデータ保有部と、転送の対象とするファイルのサイズを表すファイルサイズデータを含んで構成されたファイルである第１類型のコマンドファイルを作成して前記基地局に供給する第１のコマンドファイル生成送出部とを備え、
前記基地局は、転送の対象とするファイルのサイズを表すファイルサイズデータを含んで構成されたファイルであるコマンドファイルを保有するための第２のコマンドファイル保有部と、当該コマンドファイルの内容を認識するための第２のコマンドファイル認識機能部と、回線交換呼及びパケット交換呼に関する所要の料金を算出するための基礎となるデータを収めた通信料テーブルデータを保有するための第２の通信料テーブルデータ保有部と、基地局から当該移動通信端末に対するコールバックの要求とそのコールバックに適用すべき呼の種別を表すデータを含んで構成されたファイルである第２類型のコマンドファイル及び／又は転送の対象とするファイルのサイズを表すファイルサイズデータを含んで構成されたファイルである第３類型のコマンドファイルを作成し、前記移動通信端末に供給し得るように構成された第２のコマンドファイル生成送出部とを備え、
前記移動通信端末及び基地局は、自己から該当する通信相手にデータ転送を行うに際し、当該データ転送に係る前記第１又は第２のコマンドファイルを自己の前記第１又は第２のコマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されるデータ転送システム。
【００１３】
（３）前記基地局は、ファイル転送時に転送の対象とされるデータを保持するためのファイルサーバを更に備えた上記（１）又は（２）のデータ転送システム。
【００１４】
（４）移動通信端末と基地局とを含んで構成され、当該移動通信端末からそれによる通信に適合する仕様を持つ所望の相手側通信機器にデータ転送するデータ転送システムに適合する移動通信端末であって、
系全体を統括的に制御するためのシステム制御部と、転送の対象とするファイルのサイズを表すファイルサイズデータを含んで構成されたファイルであるコマンドファイルを保有するためのコマンドファイル保有部と、当該コマンドファイルの内容を認識するためのコマンドファイル認識機能部と、回線交換呼及びパケット交換呼に関する所要の料金を算出するための基礎となるデータを収めた通信料テーブルデータを保有するための通信料テーブルデータ保有部と、ベアラの終端及びデータフォーマットの変換等を行うパケット交換呼制御部、及び回線交換呼制御部と、を備えて構成され、
前記システム制御部は、自己の装置側から該当する通信相手にデータ転送を行うに際し、当該データ転送に係る前記コマンドファイルの内容を自己の前記コマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものである移動通信端末。
【００１５】
（５）移動通信端末と基地局とを含んで構成され、当該移動通信端末からそれによる通信に適合する仕様を持つ所望の相手側通信機器にデータ転送するデータ転送システムに適合する移動通信端末であって、
系全体を統括的に制御するためのシステム制御部と、転送の対象とするファイルのサイズを表すファイルサイズデータを含んで構成されたファイルであるコマンドファイルを保有するためのコマンドファイル保有部と、当該コマンドファイルの内容を認識するためのコマンドファイル認識機能部と、回線交換呼及びパケット交換呼に関する所要の料金を算出するための基礎となるデータを収めた通信料テーブルデータを保有するための通信料テーブルデータ保有部と、転送の対象とするファイルのサイズを表すファイルサイズデータを含んで構成されたファイルである第１類型のコマンドファイルを作成して前記基地局に供給するコマンドファイル生成送出部と、ベアラの終端及びデータフォーマットの変換等を行うパケット交換呼制御部、及び回線交換呼制御部と、を備えて構成され、前記パケット交換呼制御部及び回線交換呼制御部はハードウエアでの実装が望ましいものであり、
前記システム制御部は、自己の装置側から該当する通信相手にデータ転送を行うに際し、当該データ転送に係る前記コマンドファイルの内容を自己の前記コマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものである移動通信端末。
【００１６】
（６）移動通信端末と基地局とを含んで構成され、当該移動通信端末からそれによる通信に適合する仕様を持つ所望の相手側通信機器にデータ転送するデータ転送システムに適合する基地局であって、
転送の対象とするファイルのサイズを表すファイルサイズデータを含んで構成されたファイルであるコマンドファイルを保有するためのコマンドファイル保有部と、当該コマンドファイルの内容を認識するためのコマンドファイル認識機能部と、回線交換呼及びパケット交換呼に関する所要の料金を算出するための基礎となるデータを収めた通信料テーブルデータを保有するための通信料テーブルデータ保有部と、を備えて構成され、
自己から該当する通信相手にデータ転送を行うに際し、当該データ転送に係る前記コマンドファイルを自己の前記コマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものである基地局。
【００１７】
（７）移動通信端末と基地局とを含んで構成され、当該移動通信端末からそれによる通信に適合する仕様を持つ所望の相手側通信機器にデータ転送するデータ転送システムに適合する基地局であって、
転送の対象とするファイルのサイズを表すファイルサイズデータを含んで構成されたファイルであるコマンドファイルを保有するためのコマンドファイル保有部と、当該コマンドファイルの内容を認識するためのコマンドファイル認識機能部と、回線交換呼及びパケット交換呼に関する所要の料金を算出するための基礎となるデータを収めた通信料テーブルデータを保有するための通信料テーブルデータ保有部と、基地局から当該移動通信端末に対するコールバックの要求とそのコールバックに適用すべき呼の種別を表すデータを含んで構成されたファイルである第２類型のコマンドファイル及び／又は転送の対象とするファイルのサイズを表すファイルサイズデータを含んで構成されたファイルである第３類型のコマンドファイルを作成し、前記移動通信端末に供給し得るように構成された第２のコマンドファイル生成送出部とを備え、
自己から該当する通信相手にデータ転送を行うに際し、当該データ転送に係る前記コマンドファイルを自己の前記コマンドファイル認識機能部で認識することによって転送の対象とするファイルのサイズを表すファイルサイズデータと当該通信料テーブルデータとに基づいて、相対的に通信料を抑えられる呼種別の自動選択を行うように構成されものである基地局。
【００１８】
（８）ファイル転送時に転送の対象とされるデータを保持するためのファイルサーバを更に備えたものである上記（７）又は（８）の基地局。
【００１９】
（９）前記コマンドファイル生成送出部は、前記第１類型のコマンドファイルとして、送受信を示すコマンド、送受信を行うファイル名、ファイルサイズ、移動通信端末側のアドレス、ネットワーク側のアドレス、ファイルサーバ側のアドレスを各表すデータを含んでなるファイルを生成するように構成されたものである上記（５）の移動通信端末。
【００２０】
（１０）前記コマンドファイル生成送出部は、前記第２類型のコマンドファイルとして、コールバック用呼種別、転送用パスワード、対応コマンドファイル名、基地局から移動通信端末に転送するファイルサイズを各表すデータを含んでなるファイルを生成するように構成されたものである上記（７）の基地局。
【００２１】
（１１）前記コマンドファイル生成送出部は、前記第１類型のコマンドファイルとして、テキストファイルをテキストエディタによって直接編集することにより生成するように構成されたものである上記（５）又は（９）の移動通信端末。
【００２２】
（１２）前記コマンドファイル生成送出部は、前記第２類型のコマンドファイルとして、テキストファイルをテキストエディタによって直接編集することにより生成するように構成されたものである上記（７）又は（１０）の基地局。
【００２３】
（１３）移動通信端末と基地局とを含んで構成され、当該移動通信端末からそれによる通信に適合する仕様を持つ所望の相手側通信機器にデータ転送するデータ転送システムにおけるデータ転送方法であって、
前記移動通信端末に、転送の対象とするファイルのサイズを表すファイルサイズデータを含んで構成されたファイルであるコマンドファイルを保有するための第１のコマンドファイル保有部と、当該コマンドファイルの内容を認識するための第１のコマンドファイル認識機能部と、回線交換呼及びパケット交換呼に関する所要の料金を算出するための基礎となるデータを収めた通信料テーブルデータを保有するための第１の通信料テーブルデータ保有部と、を備え、
前記基地局に、転送の対象とするファイルのサイズを表すファイルサイズデータを含んで構成されたファイルであるコマンドファイルを保有するための第２のコマンドファイル保有部と、当該コマンドファイルの内容を認識するための第２のコマンドファイル認識機能部と、回線交換呼及びパケット交換呼に関する所要の料金を算出するための基礎となるデータを収めた通信料テーブルデータを保有するための第２の通信料テーブルデータ保有部と、を備え、
前記移動通信端末及び基地局では、自己から該当する通信相手にデータ転送を行うに際し、当該データ転送に係る前記第１又は第２のコマンドファイルを自己の前記第１又は第２のコマンドファイル認識機能部で認識することによって転送の対象とするファイルのサイズを表すファイルサイズデータと当該通信料テーブルデータとに基づいて、相対的に通信料を抑えられる呼種別の自動選択を行うようにするデータ転送方法。
【００２４】
（１４）移動通信端末と基地局とを含んで構成され、当該移動通信端末からそれによる通信に適合する仕様を持つ所望の相手側通信機器にデータ転送するデータ転送システムにおけるデータ転送方法であって、
前記移動通信端末に、転送の対象とするファイルのサイズを表すファイルサイズデータを含んで構成されたファイルであるコマンドファイルを保有するための第１のコマンドファイル保有部と、当該コマンドファイルの内容を認識するための第１のコマンドファイル認識機能部と、回線交換呼及びパケット交換呼に関する所要の料金を算出するための基礎となるデータを収めた通信料テーブルデータを保有するための第１の通信料テーブルデータ保有部と、転送の対象とするファイルのサイズを表すファイルサイズデータを含んで構成されたファイルである第１類型のコマンドファイルを作成して前記基地局に供給する第１のコマンドファイル生成送出部とを備え、
前記基地局に、転送の対象とするファイルのサイズを表すファイルサイズデータを含んで構成されたファイルであるコマンドファイルを保有するための第２のコマンドファイル保有部と、当該コマンドファイルの内容を認識するための第２のコマンドファイル認識機能部と、回線交換呼及びパケット交換呼に関する所要の料金を算出するための基礎となるデータを収めた通信料テーブルデータを保有するための第２の通信料テーブルデータ保有部と、基地局から当該移動通信端末に対するコールバックの要求とそのコールバックに適用すべき呼の種別を表すデータを含んで構成されたファイルである第２類型のコマンドファイル及び／又は転送の対象とするファイルのサイズを表すファイルサイズデータを含んで構成されたファイルである第３類型のコマンドファイルを作成し、前記移動通信端末に供給し得るように構成された第２のコマンドファイル生成送出部とを備え、
前記移動通信端末及び基地局では、自己から該当する通信相手にデータ転送を行うに際し、当該データ転送に係る前記第１又は第２のコマンドファイルを自己の前記第１又は第２のコマンドファイル認識機能部で認識することによって転送の対象とするファイルのサイズを表すファイルサイズデータと当該通信料テーブルデータとに基づいて、相対的に通信料を抑えられる呼種別の自動選択を行うようにするデータ転送方法。
【００２５】
（１５）前記基地局にファイルサーバを備え、ファイル転送を行うに際して、該ファイルサーバに転送の対象とされるデータを保持する上記（１１）又は（１２）のデータ転送方法。
【００２６】
（１６）前記移動通信端末及び基地局では、更に、マルチリンク接続を可能にし、当該データ転送に、パケット交換呼を適用する場合には使用可能な最大回線数でマルチリンク接続を行ない、回線交換呼を適用する場合には使用可能な最大回線数である第１の回線数が　データ量に応じて最適な回線数として算出して第２の回線数以上であるときには第２の回線を利用して、第１の回線数が　第２の回線数を下回るときには第１の回線数を利用してのマルチリンク接続を行う上記（１３）又は（１４）のデータ転送方法。
【００２７】
（１７）前記移動通信端末及び基地局では、更に、パケット交換呼による通信と回線交換呼による通信とを同時に実行することを許容する上記（１３）又は（１４）のデータ転送方法。
【００２８】
【発明の実施の形態】
以下、本発明の好適実施形態について詳細に説明する。
【００２９】
図１は、本発明の基本概念を示す図である。本発明は、図１の（Ａ）部に示されたように、パケット交換呼又は回線交換呼がそれらによる通信料の比較によってより低廉な料金のものが自働的に選択され、ベースバンド部の転送対象となるデータが転送される。
【００３０】
また図１の（Ｂ）部に示されたように、携帯電話機のような移動通信端末及び基地局は、通信料の比較手段を夫々保有し、これにより通信料の比較によってパケット交換呼又は回線交換呼のうちより低廉な料金の回線が選択されてファイルの転送が行われる。基地局とインターネット間はＦＴＴＨ（Ｆｉｂｅｒ　ｔｏ　ｔｈｅ　Ｈｏｍｅ）等の高速通信網で結ばれる。
【００３１】
即ち、本発明では移動通信端末、基地局の両方に通信料が安価となる呼を選択発信する機能とそれを制御するコマンドファイルの認識機能を設ける。また、ファイル転送時に必要となるファイルサーバを基地局内に設ける。移動通信端末とインターネット上の指定アドレス間のファイル転送は、基地局のファイルサーバを介して行う。
【００３２】
図２は本発明のシステムにおける移動通信端末の構成を示すブロック図である。　図２に示すように、移動通信端末１０は、この移動通信端末１０の系全体を統括的に制御するためのシステム制御部（ＣＰＵ）１１、ワークエリアとなるＲＡＭ１２、制御プログラム、アプリケーション、通信料比較テーブル及び各種設定値を記録するＦＬＡＳＨ　ＲＯＭ１３、ベアラの終端、データフォーマット変換を行うパケット交換呼制御部１４、回線交換呼制御部１５、送信ファイルのファイルサイズを検出する機能を持ちＦＬＡＳＨ　ＲＯＭ１３内に設定されたファイルサイズ検出部１３１、無線部１６、無線部を制御するベースバンド部１７を有する。
【００３３】
パケット交換呼制御部１４、回線交換呼制御部１５、及び、ファイルサイズ検出部１３１はプログラムとして実装することも可能だが、特に前者２つの制御部に関してはハードウェアで実装することが望ましい。　図示は省略するがデータを保存するためのデータドライブも備えることが望ましい。但し、本発明のシステムでは必須の要素ではない。
【００３４】
また、パケット交換呼による通信と回線交換呼による通信とをは同時に行うことが許容されるように構成することによりユーザの利便性が一段と向上する。
【００３５】
図３は本発明のシステムにおける基地局の構成を示すブロック図である。　基地局２０についても移動通信端末機器１０と同様に、この基地局２０の系全体を統括的に制御するためのシステム制御部（ＣＰＵ）２１、ワークエリアとなるＲＡＭ２２、メールやファイルを保管する大容量データドライブ２３、制御プログラム、アプリケーション、通信料比較テーブル及びユーザ情報を記録するＦＬＡＳＨ　ＲＯＭ２４、ベアラの終端、データフォーマット変換を行うパケット交換呼制御部２５、回線交換呼制御部２６、送信ファイルのファイルサイズを検出する機能を持ちＦＬＡＳＨ　ＲＯＭ２４内に設定されたファイルサイズ検出部２４１、無線部２７、無線部を制御するベースバンド部２８を有し、それに加え外部ネットワークに接続するための網制御部２９も有している。
【００３６】
アプリケーションとしてメール関係の処理を行うメールサーバと、送受信を行うファイルを一時的に保管するファイルサーバを持つ（図１（Ｂ）部参照）。
【００３７】
本システムの重要な要素としてファイルの連続送受信を行う場合に連続処理用のコマンドファイルが必要となる。本ファイルには移動通信端末側が作成し基地局側に送付するもの（第１類型のコマンドファイル）と（ブラウジング中の時のみ例外として移動通信端末側と同時に基地局側でも作成する）、基地局側から移動局側に対して送付するものの２つのタイプが存在する。
【００３８】
前者は通常のファイルの送受信時に使用され、後者は基地局側から移動通信端末側に対してコールバックの要求を行う場合、もしくは移動通信端末側が受信しようとしているファイルのサイズを通知するときに使用される。
本ファイルの説明では便宜上、前者をＮｏｒｍａｌ＿ｃｍｄ、後者をＣａｌｌｂａｃｋ＿ｃｍｄと呼ぶことにする。また、Ｃａｌｌｂａｃｋ＿ｃｍｄについては、実際にコールバックを要求するもの（第２類型のコマンドファイル）とファイルサイズのみ通知するもの（第３類型のコマンドファイル）があるため、夫々Ｃａｌｌｂａｃｋ＿ｃｍｄ１、Ｃａｌｌｂａｃｋ＿ｃｍｄ２とする。
【００３９】
図４は本発明のシステムにおけるコマンドファイルＮｏｒｍａｌ＿ｃｍｄの記載内容を表す図である。ファイル情報としてファイル毎に図示の内容を記述するものとする。即ち、送受信を示すコマンド、日時、送受信を行うファイル名、ファイルサイズ、移動通信端末側のアドレス、ネットワーク側のアドレス、ファイルサーバ内のアドレス（基地局側のファイルのみ記述）、ＦＴＰ用ＩＤ（注）、ＦＴＰ用パスワードが記述される。
【００４０】
コマンドファイルＮｏｒｍａｌ＿ｃｍｄはテキストファイルであり、テキストエディタでファイルを直接編集することにより作成される。　また、オフライン状態で移動通信端末内のキャッシュを利用、もしくはオンライン状態でのブラウジング操作より受信ファイルを選択し、コマンドファイルを作成・追記することが可能である。
【００４１】
送受信を行う場合、このコマンドファイルＮｏｒｍａｌ＿ｃｍｄに記述されたファイルサイズのデータに基づいて通信料比較を行う。受信ファイルについてはファイルサイズが分からない場合があるが、その場合はファイルサイズの欄は空欄とし、Ｃａｌｌｂａｃｋ＿ｃｍｄを基地局側より送信された時点で入力する。また、基地局側からファイル送信処理を行う場合、ファイルサイズが記載されているもののみ転送を行い、ファイルサイズが記載されていないものについては転送を行わない。
【００４２】
アドレス欄には転送先、転送元のアドレスを記述する。　ただし、基地局側では、移動通信端末よりＮｏｒｍａｌ＿ｃｍｄが送信された時点で「ファイルサーバ内のアドレス」をファイルに追記する。ブラウジング中のＮｏｒｍａｌ＿ｃｍｄ作成時には、基地局側で最初から記載する。
【００４３】
ＦＴＰ用ＩＤとパスワードは、ＦＴＰを行う場合に必要となる。　ただし、この欄が空欄の状態でＦＴＰを行う場合、基地局側はＦＴＰサーバに対してＩＤ：ｇｕｅｓｔ、パスワード：ａｎｏｎｙｍｏｕｓを入力するものとする。よって、ＦＴＰを使用しない場合、もしくはｇｕｅｓｔＩＤを使用する場合には、これらの欄は空欄でも構わない。
【００４４】
本発明では、Ｎｏｒｍａｌ＿ｃｍｄは移動通信端末側と基地局側の両方に持ち、転送に成功した場合、もしくはファイルサーバと指定アドレスとの間でのファイル転送に失敗した場合にファイル情報を削除する。　本ファイルはユーザ操作以外での上書きを禁止し、通し番号によって管理を行う。　また、ユーザ操作により消去・マージが出来るものとする。
【００４５】
図５は本発明のシステムにおける移動通信端末側のコマンドファイルＮｏｒｍａｌ＿ｃｍｄの記述例を示す図である。Ｎｏｒｍａｌ＿ｃｍｄはこの図５に示されたような形式となる。１行目は送信を意味する記述で、ファイルサイズを含め、ＦＴＰ（Ｆｉｌｅ　ＴｒａｎｓｆｅｒＰｒｏｔｏｃｏｌの略。ＲＦＣ９５９にて規定されるファイル転送用のプロトコル）のＩＤとパスワードも設定されている。２行目は受信を意味する記述で、ファイルサイズとＦＴＰに関する項目が未記載となっている。
【００４６】
図６は本発明のシステムにおけるコマンドファイルＣａｌｌｂａｃｋ＿ｃｍｄの記載内容を表す図である。ファイル情報としてファイル毎に図示の内容を記述するものとする。即ち、コールバック用呼種別、転送用パスワード、対応コマンドファイル名、基地局→移動通信端末に転送するファイルサイズ等である。
【００４７】
コールバックを行う場合、移動通信端末は本ファイルに記載されているコールバック用呼種別の内容に従って発信処理を行う。転送用パスワードは、基地局側からコールバック要求を受ける際に送られる呼毎のパスワードで、コールバック後、本パスワードを用いて基地局側との間で認証処理を行う。　本パスワードは基地局内のコマンドファイルと１対１で対応しており、基地局は実行すべきマンドファイルの識別を行うことが出来る。
【００４８】
ファイルサイズは基地局側が送信するファイルのサイズのみを並べて記載する。例えば３００ｂｙｔｅｓ，４００ｂｙｔｅｓ，５００ｂｙｔｅｓのファイルを送信する場合には、３００，４００，５００と記述する。　移動通信端末側は、本情報より受信するファイルのサイズを得、Ｎｏｒｍａｌ＿ｃｍｄの更新を行う。
【００４９】
本ファイルは認証後に消去され、以降のファイル転送に関する制御は、本ファイルに記載される対応Ｎｏｒｍａｌ＿ｃｍｄに移る。　ただし、Ｃａｌｌｂａｃｋ＿ｃｍｄからＮｏｒｍａｌ＿ｃｍｄを起動した場合、移動通信端末側→基地局側へのファイル転送は行わない。
【００５０】
Ｃａｌｌｂａｃｋ＿ｃｍｄ２は基本的にはＣａｌｌｂａｃｋ＿ｃｍｄ１と変わらないが、「コールバック用呼種別」「転送用パスワード」が不要のため、これらの欄は空欄となっており、違いはこの箇所のみである。
【００５１】
図７は本発明のシステムにおける移動通信端末側に送信されるＣａｌｌｂａｃｋ＿ｃｍｄ１の記述例を示す図である。Ｃａｌｌｂａｃｋ＿ｃｍｄ１はこの図７に示されたような形式となる。図示の例のファイルでは、回線交換呼で再発信を要求しており、Ｎｏｒｍａｌ＿ｃｍｄ３に設定されている３つのファイルに対してファイルサイズを通知し、この３つのファイルを送信することを示している。また、認証パスワードはｃａｌｌｂａｃｋ＿ｐａｓであることを示している。
【００５２】
本発明のシステム及び方法では内容について大きく分類すると、移動通信端末側から発信した場合、コールバック処理を行った場合、ブラウジング中の処理については移動通信端末側からの発信、基地局側からの発信の４つに分けることができる。それぞれの状態について移動通信端末側、基地局側の動作についてフローチャートに基づいて説明する。　ただし、基地局側からはメールのみの送信となるため、基地局側の処理のみを記載し、通常の着信処理を行う移動通信端末側については割愛する。また、ファイルの送受信時の詳細な処理等、繰り返し出てくる内容については、最初のみ動作について詳しく説明を行い、以降の説明については詳細な動作についての説明は割愛する。
【００５３】
図８は本発明のシステムにおける移動通信端末側より発信を行う場合の処理のうち移動通信端末側で実行される処理を表すフローチャートである。以下には、この図８を参照して、移動通信端末の処理動作を便宜上５節に分けて説明する
【００５４】
１．データファイル作成（Ａ−１〜Ａ−２）
ユーザは送信するメールもしくはＮｏｒｍａｌ＿ｃｍｄの編集を行い、送信するデータを準備する。送信するデータが複数ある場合、１つづつ発信しても良いし、メールであれば一括送信、ファイルであれば移動機側で連続処理を行うためのＮｏｒｍａｌ＿ｃｍｄを作成し、まとめて送信することも可能とする。
【００５５】
２．発信呼種別の選択（Ａ−３〜Ａ−４）　送信データの準備が終わると次に発信処理に移るが、このとき発信呼の種別の選択が行われる。発信呼の自動選択を行う場合のみファイルサイズ検出を行い、発信呼の呼種別としてパケット交換呼、もしくは回線交換呼が指定されていた場合にはファイルサイズ検出を行わず、指定された呼で発信処理を行う。本内容はユーザにより設定可能であり、設定変更時には基地局側に対して設定後の値を通知する。また、発信呼の自動選択設定で且つ送信データが無い状態での発信については、目的としてブラウザによる閲覧等が想定されることから、パケット交換呼で発信することとする。
【００５６】
３．通信料比較（Ａ−５〜Ａ−６）
ファイルサイズ検出により検出したデータファイルの総ファイルサイズと通信料比較テーブルにより、パケット交換呼と回線交換呼でどちらが通信料の上で有利であるかを比較・決定する。Ｎｏｒｍａｌ＿ｃｍｄに受信コマンドが登録されておりファイルサイズが不明の場合、ファイルサイズは０ｂｙｔｅとして計算する。通信料比較テーブルは移動通信端末起動時、もしくは発信時に基地局より通知されるパケット単価、回線交換呼によるデータ通信時の時間辺りの単価と、回線交換呼のデータ通信速度により構成され、記録情報から変更があった時にテーブルの更新を行う。
【００５７】
４．発信処理（Ａ−７〜Ａ−１４）
前項、前々項の決定に従った呼でデータ発信を行う。パケット交換呼であればそのまま発信を行う。回線交換呼で発信を行う場合、音声呼と競合する可能性があるため、まず既存呼の確認を行い、既存呼が無ければ回線交換呼でデータ発信を行う。既存呼がある場合、呼の競合時の設定により、パケット交換呼で発信する設定となっている場合には、その設定に従ってパケット発信を行う。　本内容はユーザにより設定可能であり、設定変更時には基地局側に対して設定後の値を通知する。回線交換呼で発信する設定となっていた場合には、既存呼の切断処理が終わるまでポーリング動作を行い、既存呼が切断されたのを確認してから回線交換呼による発信処理を行う。
【００５８】
５．ファイル送受信・切断（Ａ−１５〜Ａ−２８）
メールソフトやブラウザ等の上位アプリにより、ファイル送信を行う。メール送信後、送信もしくは受信するファイルがあればＮｏｒｍａｌ＿ｃｍｄの送信にてファイルの送受信を行い、無ければ回線を切断する。ファイルのやり取りは移動通信端末と基地局のファイルサーバとの間で行われる。ファイルが１つ転送完了した時点で、受信側は送信側に対して受信完了した旨を通知し、Ｎｏｒｍａｌ＿ｃｍｄ内の該当するファイルの情報を削除・更新を行う。送信側も受信完了通知を受け取った時点でＮｏｒｍａｌ＿ｃｍｄ内の該当するファイルの情報を削除・更新を行う。ファイルの送受信が正常に行われなかった場合、受信側は送信側に対して再送要求を通知する。基地局側よりＣａｌｌｂａｃｋ＿ｃｍｄ２が送信されれば引き続きを受信しＣａｌｌｂａｃｋ＿ｃｍｄ１が送信された場合には、回線の切断処理を行う。
【００５９】
図９は本発明のシステムにおける移動通信端末側より発信を行う場合の処理のうち基地局側で実行される処理を表すフローチャートである。以下には、この図９を参照して、基地局の処理動作を便宜上２節に分けて説明する
【００６０】
１．ファイル受信（Ｂ−１〜Ｂ−８）
基地局側では回線接続後、まず移動通信端末からのデータにメールが含まれているかどうかを確認し、含まれていればメールをメールサーバに登録する。　続いてＮｏｒｍａｌ＿ｃｍｄの受信を待ち、Ｎｏｒｍａｌ＿ｃｍｄが無ければメールのみの受信と判断し、移動通信端末からの切断要求を待って回線の切断処理を行う。
【００６１】
Ｎｏｒｍａｌ＿ｃｍｄを受け取った場合、Ｎｏｒｍａｌ＿ｃｍｄの解析を行い、受信ファイルがあるかどうかを確認する。受信ファイルが指定されている場合、基地局はまず基地局内のファイルサーバにファイルの受信を行う。　ファイルサーバ内に転送されたファイルは、指定アドレスに転送された場合には即座に削除するが、転送に失敗した場合は一定期間ファイルサーバ内に保存しておく。このファイル転送が成功した時点で、ファイルサーバにそのファイルに関するＮｏｒｍａｌ＿ｃｍｄ内の情報を記録し、Ｎｏｒｍａｌ＿ｃｍｄ内に記述されている本ファイルに対応する記述部分を削除する。
【００６２】
２．ファイル送信（Ｂ−９〜Ｂ−２３）
Ｎｏｒｍａｌ＿ｃｍｄ内に基地局より送信する旨のコマンドが記載されている場合、基地局は指定されたファイルを検索、ファイルサーバに受信・登録すると共にファイルサイズに関する情報を照会する（Ｂ−１０　〜Ｂ−１１）。ファイルの送受信をファイルサーバを介して行うことにより、ルーティング等で生じるオーバーヘッドを防ぐことが出来る。
【００６３】
インターネット上の指定アドレスからファイルサーバに対してデータの転送が終わると、Ｎｏｒｍａｌ＿ｃｍｄを解析し、移動通信端末に対して送信するファイルで、ファイルサイズが記述してあるかどうかを確認する（Ｂ−１２）。記述してある場合、そのファイルを受信することを考慮の上で現在の種別の呼で発信していると考えられるため、Ｎｏｒｍａｌ＿ｃｍｄを編集する前にそのファイルを送信する（Ｂ−１８）。その後、まだＮｏｒｍａｌ＿ｃｍｄ内にファイル送信を行う旨の記述がある場合には、Ｎｏｒｍａｌ＿ｃｍｄの編集後、ファイルの送信処理を行う。
【００６４】
移動通信端末から通知された発信呼の種別選択に関する情報を解析し（Ｂ−１４）、この種別が固定であればＮｏｒｍａｌ＿ｃｍｄの記述内容に従ってファイルサーバよりファイルの送信を行い（Ｂ−１８）、送信後に回線の切断処理を行う（Ｂ−２３）。固定でない場合には通信料比較を行い（Ｂ−１５）、既存呼の方が安価と判断すればそのままファイル送信を行い（Ｂ−１８）、そうでない場合にはＣａｌｌｂａｃｋ＿ｃｍｄ１を移動通信端末に送信し（Ｂ−２２）、移動通信端末からの切断要求を待って回線の切断処理を行う（Ｂ−２３）。
【００６５】
図１０及び図１１は本発明のシステムにおける基地局（ファイルサーバ）−移動通信端末間のファイルの送受信の様子を示す図であり、図１０は再送信処理に関して転送が成功した場合を示し、図１１は再送信処理に関して転送が失敗した場合を示している。
【００６６】
Ｎｏｒｍａｌ＿ｃｍｄ内に基地局より送信する旨のコマンドが記載されている場合、基地局は指定されたファイルを検索、ファイルサーバに受信・登録すると共にファイルサイズに関する情報を照会する。ファイルの送受信をファイルサーバを介して行うことにより、ルーティング等で生じるオーバーヘッドを防ぐことが出来る。
【００６７】
移動通信端末から通知された発信呼の種別選択に関する情報を解析し、この種別が固定であればＮｏｒｍａｌ＿ｃｍｄの記述内容に従ってファイルサーバよりファイルの送信を行い、送信後に回線の切断処理を行う。固定でない場合には通信料比較を行い、既存呼の方が安価と判断すればそのままファイル送信を行い、そうでない場合にはＣａｌｌｂａｃｋ＿ｃｍｄ１を移動通信端末に送信し、移動通信端末からの切断要求を待って回線の切断処理を行う。
【００６８】
図１２、図１３、図１４、及び、図１５は指定アドレス−基地局（ファイルサーバ）間のファイル送受信の状況を夫々示すフローチャートである。
【００６９】
図１２は基地局側におけるファイルサーバから指定のアドレスへのファイルの送信処理を示すフローチャートであり、図１３は基地局側における指定アドレスへのファイル転送失敗に対し再処理を行なうメールを受信した場合の処理を示すフローチャートであり、図１４は指定アドレスからファイルサーバへのファイルの送信処理を示すフローチャートであり、図１５は指定アドレスからのファイル受信失敗に対し再処理を行なうメールを受信した場合の処理を示すフローチャートである。
【００７０】
図１２の、移動通信端末から指定アドレスへの送信時には、ファイルサーバはＮｏｒｍａｌ＿ｃｍｄより受け取った情報を解析（Ｃ−２）、指定アドレスにＦＴＰ送信を試みる（Ｃ−３）。　本動作は送信ファイル毎に、且つ移動通信端末と基地局との間の通信とは別タスクで行われ、双方の通信に影響を与えることはないようにする。　ＦＴＰのパスワードが違うなど何らかの理由でファイル転送に失敗した場合には、転送失敗理由をメールにてユーザに通知する（Ｃ−５〜Ｃ−６）。転送に失敗したファイルは一定期間の間保存を行う。ユーザは通知されたメールに対して指定アドレス、ＦＴＰに使用するＩＤ、パスワード等を応答することで、再転送の指示及び削除を行うことができる。また、本メールよりＮｏｒｍａｌ＿ｃｍｄの作成・追記も可能とする。
【００７１】
図１４の、指定アドレスから移動通信端末への送信時には、ファイルサーバはＮｏｒｍａｌ＿ｃｍｄより受け取った情報を解析、指定アドレスよりＦＴＰによる受信を試みる（Ｅ−２）。ＦＴＰのパスワードが違うなど何らかの理由でインターネット側の指定アドレスから基地局内のファイルサーバに対しての転送に失敗した場合には、転送失敗理由をメールにてユーザに通知する（Ｅ−５〜Ｅ−６）。ユーザは通知されたメールに対してアドレス、ＦＴＰに使用するＩＤ、パスワード等を応答することで、再転送の指示を行うことができる。また、本メールよりＮｏｒｍａｌ＿ｃｍｄの作成・追記も可能とする。
【００７２】
図１５の、メールによる指示で再受信を試みる場合、移動通信端末側はメールを発信すると同時にそのファイルに対応したＮｏｒｍａｌ＿ｃｍｄを作成する（Ｆ−１〜Ｆ−８）。基地局側ではメールより受け取った情報からＦＴＰによる再受信をこころみる。受信に成功した場合には、ファイル情報の照会を行い、以降は通常の送信処理を行う。但し、Ｎｏｒｍａｌ＿ｃｍｄには１つのファイルしか登録されていないため、Ｎｏｒｍａｌ＿ｃｍｄは更新ではなく、削除される。
【００７３】
インターネット側の指定アドレスから基地局内のファイルサーバに対しての転送に失敗した場合には、メール以外にリアルタイムで移動通信端末にファイル転送に失敗したことを通知する。移動通信端末側は本通知を受けた時点で、基地局側はファイルサーバへの転送に失敗した時点でＮｏｒｍａｌ＿ｃｍｄ内に記述されている本ファイルに対応する記述部分を削除する。全てのファイル送受信後、移動通信端末側はユーザに対して転送に失敗したことをＬＣＤ表示等で通知する。
【００７４】
図１６は本発明のシステムにおける移動通信端末側におけるコールバック発信処理を示すフローチャートである。コールバック発信基地局からＣａｌｌｂａｃｋ＿ｃｍｄ１を受けた場合、移動通信端末はＣａｌｌｂａｃｋ＿ｃｍｄ１に記載されているコールバック用の呼種別にて発信処理を行う。パケット交換呼の場合は（Ｇ−２：Ｙｅｓ）そのまま発信処理を行い、回線交換呼の場合には通話中であるかどうかを判断し（Ｇ−４）、通話中でなければ発信処理を行い（Ｇ−５）、通話中の場合には回線交換呼の切断をポーリング動作にて検出する（Ｇ−６〜Ｇ−７）。回線接続後（Ｇ−８）は転送用パスワードの送信を行い（Ｇ−９）、基地局との認証完了後、対応するＮｏｒｍａｌ＿ｃｍｄの内容に従ってファイルの受信を行う（Ｇ−１０）。全てのファイルを受信した時点で回線の切断処理を行う（Ｇ−１２〜Ｇ−１３）。
【００７５】
図１７は、本発明のシステムでの基地局側におけるコールバック着信処理を示すフローチャートである。回線接続後（Ｈ−１）、移動通信端末より通知される転送用パスワードにより認証処理を行う（Ｈ−２〜Ｈ−３）。　該当するパスワードが存在する場合、そのパスワードに対応するＮｏｒｍａｌ＿ｃｍｄを用いてファイルの送信処理を開始する（Ｈ−４）。全てのファイルを送信した時点で移動通信端末からの切断要求を待って回線の切断処理を行う（Ｈ−６〜Ｈ−７）。
【００７６】
図１８は、本発明のシステムでのブラウジング中にファイル受信を行う場合の移動通信端末側の処理を示すフローチャートである。以下には、この図１８を参照して、移動通信端末の処理動作を便宜上３節に分けて説明する。
【００７７】
１．ブラウジング操作（Ｉ−１〜Ｉ−３）
ブラウジング操作を行う場合、接続時間や内容が分からないことから、パケット交換呼で発信処理を行う。
【００７８】
２．ブラウジング中の受信ファイル選択時の処理（Ｉ−４〜Ｉ−８）
ブラウジング中に受信したいファイルがあった場合、受信ファイルの選択を行う。　選択後の処理として連続受信設定となっていた場合、Ｎｏｒｍａｌ＿ｃｍｄの編集のみ行い、ブラウジング操作を継続する。連続受信設定でない場合は（Ｉ−６：Ｎｏ）そのままファイル受信を行い、受信完了後にブラウザ操作に戻る。
【００７９】
３．ブラウジング後の受信ファイル受信処理（Ｉ−９〜Ｉ−１５）
ブラウジング終了後、連続受信設定で無ければ回線を切断し、連続受信設定であれば引き続き連続受信処理に遷移する。　本内容はユーザにより設定可能であり、設定変更時には基地局側に対して設定後の値を通知する。
【００８０】
Ｃａｌｌｂａｃｋ＿ｃｍｄ２に続き、ファイルが送信されてきた場合にはそのまま受信処理を行い、全ファイルの受信完了後に回線の切断処理を行う。Ｃａｌｌｂａｃｋ＿ｃｍｄ１が送信された場合には即座に回線の切断処理を行う（Ｉ−１４，Ｉ−１５）。
【００８１】
図１９は、本発明のシステムでのブラウジング中にファイル受信を行う場合の基地局側の処理を示すフローチャートである。以下には、この図１９を参照して、基地局側の処理動作を便宜上２節に分けて説明する
【００８２】
１．ブラウジング中の受信ファイル選択時の処理（Ｊ−１〜Ｊ−９）
回線接続後（Ｊ−１）、移動通信端末側よりファイルの送信要求があった場合（Ｊ−４）、基地局はまず携帯移動端末の状態が連続受信設定に設定されているかどうかを確認する（Ｊ−５）。連続受信に設定されていない場合、基地局は即座に要求ファイルの送信を始める（Ｊ−６）。逆に連続受信設定となっていた場合、ファイルサイズ等の情報を照会しＮｏｒｍａｌ＿ｃｍｄの編集を行うのと同時に送信するファイルを指定先より受信・ファイルサーバへの登録処理を行う（Ｊ−７〜Ｊ−９）。
【００８３】
２．ブラウジング後の受信ファイル受信処理（Ｊ１０〜Ｊ−１９）
ブラウジング終了後（Ｊ−３：Ｙｅｓ）、送信ファイルがある場合には（Ｊ１０：Ｙｅｓ）、移動通信端末側の発信呼の種別選択情報を確認し、呼種別固定且つパケット交換呼の場合にはＣａｌｌｂａｃｋ＿ｃｍｄ２と共に選択されたファイルを順次送信していく。全てのファイルを送信し終えた時点で移動通信端末からの切断要求を待って回線の切断処理を行う。呼種別固定且つ回線交換呼の場合にはＣａｌｌｂａｃｋ＿ｃｍｄ１を送信、移動通信端末からの切断要求を待って回線の切断処理を行う。呼種別が固定されていない場合には、照会した情報より通信料比較を行い（Ｊ１３）、既存呼の方が安価であればＣａｌｌｂａｃｋ＿ｃｍｄ２に引き続いて選択ファイルの送信を行う（Ｊ１５）。既存呼の方が通信料が高くなる場合には、Ｃａｌｌｂａｃｋ＿ｃｍｄ１を送信後移動通信端末からの切断要求を待って回線の切断処理を実行する（Ｊ１８〜Ｊ−１９）。
【００８４】
図２０は本発明のシステムにおいて基地局側よりメール送信を行う場合の処理を示すフローチャートである。以下には、この図２０を参照して、基地局側の処理動作を便宜上５節に分けて説明する
【００８５】
１．データファイル作成（Ｋ−１）
基地局はメールサーバからの送信要求により、メール送信処理を開始する。メールサーバは送信要求時、送信するメール数と総ファイルサイズを通知する。
【００８６】
２．発信呼種別の選択（Ｋ−２〜Ｋ−３）
メール送信処理に遷移し、発信呼の種別の選択が行われる。移動携帯端末より通知されている設定値を参照し、発信呼の自動選択を行う場合のみ通信料比較を行い、パケット交換呼、もしくは回線交換呼が指定されていた場合には、指定された呼で発信処理を行う。
【００８７】
３．通信料比較（Ｋ−４）
メールサーバより通知されたメールの総ファイルサイズと通信料比較テーブルにより、パケット交換呼と回線交換呼でどちらが通信料の上で有利であるかを比較・決定する。通信料比較テーブルは移動通信端末起動時、もしくは発信時に基地局より通知されるパケット単価、回線交換呼によるデータ通信時の時間辺りの単価と、回線交換呼のデータ通信速度により構成され、記録情報と変更があった時にテーブルの更新を行う。
【００８８】
４．発信処理（Ｋ−５〜Ｋ−６）
前項、前々項の決定に従った呼でデータ発信を行う。パケット交換呼であればそのまま発信を行う。　回線交換呼で発信を行う場合、音声呼と競合する可能性があるため、まず回線交換呼の確認を行い、送信すべき移動通信端末と基地局の間で呼接続が無ければデータ発信を行う。呼接続がある場合、移動携帯端末より通知されている設定値を参照し、パケット交換呼で発信する設定の場合には、パケット発信を行う。パケット交換呼で発信される設定がされていない場合には、切断処理が終了するまでポーリング動作を行い、切断されたのを確認してから回線交換呼による発信処理を行う。
【００８９】
５．メール送信・切断（Ｋ−１３〜Ｋ−１４）
全メールを送信後、移動通信端末からの切断要求を待って回線の切断処理を行う。
【００９０】
上述の本発明の実施形態によれば：
１．パケット交換呼と回線交換呼の通信料比較を行うことにより、ユーザに対しより安価にデータ転送サービスを提供することができる。
２．ファイル転送を基地局内のファイルサーバを介して行うため、ルーティング等によるオーバーヘッドを抑えることが可能になる。
３．ファイルの一括転送方式により、ユーザ操作に必要な時間を削減できる。等々の効果を奏する。
【００９１】
図２１は発明の他の実施形態を示すフローチャートであり、パケット交換呼及び回線交換呼を複数持った移動通信端末からの発信に関するものである。前述の実施形態は、現在の移動通信端末の能力を考慮し、パケット交換呼もしくは回線交換呼が１回線づつある場合の装置構成について記載してきたが、この図２１の実施形態ではそれぞれの回線を複数持つような構成をとる。
【００９２】
通信料の比較を行うところまでは、既述のシーケンスと同じである。発信がパケット交換呼の場合、通信料はデータ量に比例するため、基本的に回線数により通信料が変わることはない。そのため、使用可能な最大回線数であるｍ回線を利用してマルチリンク接続を行うことで、通信料は変わらずにより高速なデータ転送が可能となる。
【００９３】
発信が回線交換呼の場合、通信料は時間だけでなく回線数にも影響を受けるため、単純に使用可能な最大回線数を通信料が高くなる可能性がある。そこで、使用可能な最大回線数であるｎ回線を検出後、データ量に応じて最適な回線数ｏを決定し、ｎ≧ｏの場合にはｏ回線、ｎ＜ｏの場合にはｎ回線を利用してのマルチリンク接続を行うことで、安価で且つ高速なデータ転送を行うことが出来る。
【００９４】
その他、回線交換呼の場合には、１回線であれば音声通信を行っている間は発信が出来ない等の問題点があったが、回線数が増えることで本問題も解決され、インタフェース的にも改善することが可能である。
【００９５】
尚、以上の各例では移動通信端末について示したが、基地局は使用可能回線数の検出方法が「契約回線数−現在の通信回線数」となるだけで、基本的には移動通信端末と同じである。
【００９６】
【発明の効果】
本発明によれば、移動通信端末と基地局とを含んで構成され、当該移動通信端末からそれによる通信に適合する仕様を持つ所望の相手側通信機器にデータ転送するデータ転送システム全体を見通して、種々の状況において、通信料を抑えられる呼種別の自動選択を行うためのシステム及びこのシステムを構成する移動通信端末、基地局、並びに、このシステムにおけるデータ転送方法を提供することができる。
【図面の簡単な説明】
【図１】本発明の基本概念を示す図である。
【図２】本発明のシステムにおける移動通信端末の構成を示すブロック図である。
【図３】本発明のシステムにおける基地局の構成を示すブロック図である
【図４】本発明のシステムにおけるコマンドファイルの記載内容を表す図である。
【図５】本発明のシステムにおける移動通信端末側のコマンドファイルの記述例を示す図である。
【図６】本発明のシステムにおけるコマンドファイルの記載内容を表す図である。
【図７】本発明のシステムにおける移動通信端末側に送信される記述例を示す図である。
【図８】本発明のシステムにおける移動通信端末側より発信を行う場合の処理のうち移動通信端末側で実行される処理を表すフローチャートである。
【図９】本発明のシステムにおける移動通信端末側より発信を行う場合の処理のうち基地局側で実行される処理を表すフローチャートである。
【図１０】本発明のシステムにおける基地局（ファイルサーバ）−移動通信端末間のファイルの送受信に関し、再送信処理に関して転送が成功した場合を示すフローチャートである。
【図１１】本発明のシステムにおける基地局（ファイルサーバ）−移動通信端末間のファイルの送受信に関し、再送信処理に関して転送が失敗した場合を示すフローチャートである。
【図１２】本発明のシステムでの基地局側におけるファイルサーバから指定のアドレスへのファイルの送信処理、及びファイル転送失敗時のユーザへの通知処理を示すフローチャートである。
【図１３】本発明のシステムでの基地局側における指定アドレスへのファイル転送失敗に対し再処理を行なうメールを受信した場合の処理を示すフローチャートである。
【図１４】本発明のシステムでの指定アドレスからファイルサーバへのファイルの送信処理、及びファイル転送失敗時のユーザへの通知処理を示すフローチャートである。
【図１５】本発明のシステムでの指定アドレスからのファイル受信失敗に対し再処理を行なうメールを受信した場合の処理を示すフローチャートである。
【図１６】本発明のシステムにおける移動通信端末側におけるコールバック発信処理を示すフローチャートである。
【図１７】本発明のシステムでの基地局側におけるコールバック着信処理を示すフローチャートである。
【図１８】本発明のシステムでのブラウジング中にファイル受信を行う場合の移動通信端末側の処理を示すフローチャートである。
【図１９】本発明のシステムでのブラウジング中にファイル受信を行う場合の基地局側の処理を示すフローチャートである。
【図２０】本発明のシステムにおいて基地局側よりメール送信を行う場合の処理を示すフローチャートである。
【図２１】発明の他の実施形態を示すフローチャートであり、パケット交換呼及び回線交換呼を複数持った移動通信端末からの発信に関するものである
【符号の説明】
１０　　　　　　　移動通信端末
１１　　　　　　　ＣＰＵ
１２　　　　　　　ＲＡＭ
１３　　　　　　　ＦＬＡＳＨ　ＲＯＭ
１４　　　　　　　パケット交換呼制御部
１５　　　　　　　回線交換呼制御部
１６　　　　　　　無線部
１７　　　　　　　ベースバンド部
２０　　　　　　　基地局
２１　　　　　　　ＣＰＵ
２２　　　　　　　ＲＡＭ
２３　　　　　　　大容量データドライブ
２４　　　　　　　ＦＬＡＳＨ　ＲＯＭ
２５　　　　　　　パケット交換呼制御部
２６　　　　　　　回線交換呼制御部
２７　　　　　　　無線部
２８　　　　　　　ベースバンド部
２９　　　　　　　網制御部
１３１、２４１　　ファイルサイズ検出部
【図１】
2004040463.tif 000003
【図２】
2004040463.tif 000004
【図３】
2004040463.tif 000005
【図４】
2004040463.tif 000006
【図５】
2004040463.tif 000007
【図６】
2004040463.tif 000008
【図７】
2004040463.tif 000009
【図８】
2004040463.tif 000010
【図９】
2004040463.tif 000011
【図１０】
2004040463.tif 000012
【図１１】
2004040463.tif 000013
【図１２】
2004040463.tif 000014
【図１３】
2004040463.tif 000015
【図１４】
2004040463.tif 000016
【図１５】
2004040463.tif 000017
【図１６】
2004040463.tif 000018
【図１７】
2004040463.tif 000019
【図１８】
2004040463.tif 000020
【図１９】
2004040463.tif 000021
【図２０】
2004040463.tif 000022
【図２１】
2004040463.tif 000023